(57)【要約】【課題】複数の機械を管理する作業負担をより適切に軽減すること。【解決手段】複数の工作機械における測定データの取得を管理するデータ収集管理装置を含むデータ収集管理システムであって、前記データ収集管理装置は、前記複数の工作機械との接続設定及び前記工作機械それぞれで測定される測定データの種類の設定を記憶する設定記憶部と、前記工作機械それぞれに対応する測定ツールに前記接続設定及び前記測定データの種類の設定を行う設定部と、前記設定部による設定に応じて、前記測定ツールにより前記工作機械それぞれの測定を実行する実行管理部と、を備えることを特徴とする。【選択図】図１
2018173858.tif 000002
【特許請求の範囲】
【請求項１】
複数の工作機械における測定データの取得を管理するデータ収集管理装置を含むデータ収集管理システムであって、
前記データ収集管理装置は、
前記複数の工作機械との接続設定及び前記工作機械それぞれで測定される測定データの種類の設定を記憶する設定記憶部と、
前記工作機械それぞれに対応する測定ツールに前記接続設定及び前記測定データの種類の設定を行う設定部と、
前記設定部による設定に応じて、前記測定ツールにより前記工作機械それぞれの測定を実行する実行管理部と、
を備えることを特徴とするデータ収集管理システム。
【請求項２】
前記データ収集管理装置は、
前記工作機械における前記測定データを取得する測定データ取得部を備えることを特徴とする請求項１に記載のデータ収集管理システム。
【請求項３】
前記データ収集管理装置は、前記工作機械それぞれに対応する前記測定ツールを備えることを特徴とする請求項１又は２に記載のデータ収集管理システム。
【請求項４】
前記複数の工作機械のうちの一部の前記工作機械における前記測定データの取得を管理する情報処理装置を含み、
前記情報処理装置は、前記複数の工作機械のうちの一部の前記工作機械に対応する前記測定ツールを備えることを特徴とする請求項１又は２に記載のデータ収集管理システム。
【請求項５】
前記データ収集管理装置は、
前記設定部における前記測定ツールへの前記接続設定及び前記測定データの種類の設定と、前記測定ツールによる前記工作機械それぞれの測定の実行とを制御するためのインターフェース画面を表示する表示制御部を備え、
前記表示制御部は、前記インターフェース画面において、測定の対象となる前記工作機械を一覧表示し、一覧表示された前記工作機械の項目が選択されることに対応して、前記工作機械に対応する前記測定ツールへの設定、前記工作機械との通信による接続、又は、前記工作機械の測定に関する処理が実行されることを特徴とする請求項１から４のいずれか１項に記載のデータ収集管理システム。
【請求項６】
前記表示制御部は、前記インターフェース画面において、測定の対象となる前記工作機械の追加及び削除を受け付けることを特徴とする請求項５に記載のデータ収集管理システム。
【請求項７】
複数の工作機械における測定データの取得を管理するデータ収集管理装置を含むデータ収集管理システムにおいて実行されるデータ収集管理方法であって、
前記データ収集管理装置が、
前記工作機械それぞれに対応する測定ツールに、前記複数の工作機械との接続設定及び前記工作機械それぞれで測定される測定データの種類の設定を行う設定ステップと、
前記設定ステップにおける設定に応じて、前記測定ツールにより前記工作機械それぞれの測定を実行する実行管理ステップと、
を実行することを特徴とするデータ収集管理方法。
【請求項８】
複数の工作機械における測定データの取得を管理するデータ収集管理装置を構成するコンピュータに、
前記工作機械それぞれに対応する測定ツールに、前記複数の工作機械との接続設定及び前記工作機械それぞれで測定される測定データの種類の設定を行う設定機能と、
前記設定機能による設定に応じて、前記測定ツールにより前記工作機械それぞれの測定を実行する実行管理機能と、
を実現させることを特徴とするプログラム。
【発明の詳細な説明】
【技術分野】
【０００１】
本発明は、複数の機械のデータ収集を管理するデータ収集管理システム、データ収集管理方法及びプログラムに関する。
【背景技術】
【０００２】
従来、複数の機械を１台の管理装置で管理するシステムが知られている。
例えば、特許文献１に記載された監視システムでは、複数の半導体製造装置と一対一に収集用パソコンが接続されている。各収集用パソコンは、各半導体製造装置の処理状態データを収集する。そして、１台の監視用パソコンが、複数の収集用パソコンが収集した処理状態データを監視している。
【先行技術文献】
【特許文献】
【０００３】
【特許文献１】特開２００９−４８３２４号公報
【発明の概要】
【発明が解決しようとする課題】
【０００４】
特許文献１に記載には、監視用パソコンに収集用パソコンに関する情報（ＩＰアドレス等）及び半導体製造装置の監視項目（温度等）が登録されていることは記載されている。
しかしながら、特許文献１には、監視項目の設定等、監視用パソコンが監視対象の機械に関する設定を行うことについては記載されていない。
複数の機械のデータ収集を行う場合、機械毎にデータ収集の対象となる測定項目等を設定する必要が生じることもあり、特許文献１に記載された技術では、このような場合に、機械毎に設定を行う必要がある。
即ち、従来の技術においては、複数の機械を管理するための作業負担が適切に軽減されていなかった。
【０００５】
本発明は、複数の機械を管理する作業負担をより適切に軽減することを目的とする。
【課題を解決するための手段】
【０００６】
（１）本発明のデータ収集管理システム（例えば、後述のデータ収集管理システム１）は、
複数の工作機械（例えば、後述の工作機械２０）における測定データの取得を管理するデータ収集管理装置（例えば、後述のデータ収集管理装置１０）を含むデータ収集管理システムであって、
前記データ収集管理装置は、
前記複数の工作機械との接続設定及び前記工作機械それぞれで測定される測定データの種類の設定を記憶する設定記憶部（例えば、後述の記憶部１６）と、
前記工作機械それぞれに対応する測定ツールに前記接続設定及び前記測定データの種類の設定を行う設定部（例えば、後述の設定管理部１１ｂ）と、
前記設定部による設定に応じて、前記測定ツールにより前記工作機械それぞれの測定を実行する実行管理部（例えば、後述の測定ツール実行管理部１１ｃ）と、
を備えることを特徴とする。
【０００７】
（２）  （１）のデータ収集管理システムにおいて、前記データ収集管理装置は、
前記工作機械における前記測定データを取得する測定データ取得部（例えば、後述の測定ツール実行管理部１１ｃ）を備えてもよい。
【０００８】
（３）  （１）又は（２）のデータ収集管理システムにおいて、前記データ収集管理装置は、前記工作機械それぞれに対応する前記測定ツールを備えてもよい。
【０００９】
（４）  （１）又は（２）のデータ収集管理システムにおいて、前記複数の工作機械のうちの一部の前記工作機械における前記測定データの取得を管理する情報処理装置（例えば、後述の情報処理装置１０−１〜１０−ｎ）を含み、
前記情報処理装置は、前記複数の工作機械のうちの一部の前記工作機械に対応する前記測定ツールを備えてもよい。
【００１０】
（５）  （１）から（４）のデータ収集管理システムにおいて、前記データ収集管理装置は、
前記設定部における前記測定ツールへの前記接続設定及び前記測定データの種類の設定と、前記測定ツールによる前記工作機械それぞれの測定の実行とを制御するためのインターフェース画面を表示する表示制御部（例えば、後述のＵＩ表示制御部１１ａ）を備え、
前記表示制御部は、前記インターフェース画面において、測定の対象となる前記工作機械を一覧表示し、一覧表示された前記工作機械の項目が選択されることに対応して、前記工作機械に対応する前記測定ツールへの設定、前記工作機械との通信による接続、又は、前記工作機械の測定に関する処理が実行されてもよい。
【００１１】
（６）  （５）のデータ収集管理システムにおいて、前記表示制御部は、前記インターフェース画面において、測定の対象となる前記工作機械の追加及び削除を受け付けてもよい。
【００１２】
（７）また、本発明のデータ収集管理方法は、
複数の工作機械における測定データの取得を管理するデータ収集管理装置を含むデータ収集管理システムにおいて実行されるデータ収集管理方法であって、
前記データ収集管理装置が、
前記工作機械それぞれに対応する測定ツールに、前記複数の工作機械との接続設定及び前記工作機械それぞれで測定される測定データの種類の設定を行う設定ステップと、
前記設定ステップにおける設定に応じて、前記測定ツールにより前記工作機械それぞれの測定を実行する実行管理ステップと、
を実行することを特徴とする。
【００１３】
（８）また、本発明のプログラムは、
複数の工作機械における測定データの取得を管理するデータ収集管理装置を構成するコンピュータに、
前記工作機械それぞれに対応する測定ツールに、前記複数の工作機械との接続設定及び前記工作機械それぞれで測定される測定データの種類の設定を行う設定機能と、
前記設定機能による設定に応じて、前記測定ツールにより前記工作機械それぞれの測定を実行する実行管理機能と、
を実現させることを特徴とする。
【発明の効果】
【００１４】
本発明によれば、複数の機械を管理する作業負担をより適切に軽減することが可能となる。
【図面の簡単な説明】
【００１５】
【図１】本発明の一実施形態に係るデータ収集管理システムのシステム構成を示す模式図である。
【図２】データ収集管理装置の構成を示すブロック図である。
【図３】接続管理画面の一例を示す模式図である。
【図４】接続設定画面の一例を示す模式図である。
【図５Ａ】接続ステータス表示画面の一例を示す模式図である。
【図５Ｂ】接続ステータス表示画面の一例を示す模式図である。
【図５Ｃ】接続ステータス表示画面の一例を示す模式図である。
【図６】データ収集管理装置が実行する統合管理処理の流れを説明するフローチャートである。
【図７】測定ツールと測定ツール実行管理部とを異なる情報処理装置に備えるデータ収集管理システムのシステム構成を示す模式図である。
【図８】測定データ保存用ファイルをネットワーク上の記憶装置に記憶するデータ収集管理システムのシステム構成を示す模式図である。
【発明を実施するための形態】
【００１６】
以下、本発明の実施形態について、図面を参照して説明する。
［構成］
図１は、本発明の一実施形態に係るデータ収集管理システム１のシステム構成を示す模式図である。
【００１７】
図１に示すように、データ収集管理システム１は、データ収集管理装置１０と、複数の工作機械２０−１〜２０−ｎ（ｎは２以上の整数）とを含んで構成され、データ収集管理装置１０と複数の工作機械２０−１〜２０−ｎとは、有線又は無線ＬＡＮ等のネットワーク３０によって通信可能に構成されている。なお、データ収集管理装置１０と複数の工作機械２０−１〜２０−ｎとをＵＳＢ（Ｕｎｉｖｅｒｓａｌ  Ｓｅｒｉａｌ  Ｂｕｓ）ケーブル等の通信ケーブルによって接続することとしてもよい。
以下、複数の工作機械２０−１〜２０−ｎを区別しない場合、単に工作機械２０と称する。
【００１８】
データ収集管理装置１０は、ＰＣ（Ｐｅｒｓｏｎａｌ  Ｃｏｍｐｕｔｅｒ）あるいはサーバ装置等の情報処理装置によって構成される。データ収集管理装置１０は、工作機械２０−１〜２０−ｎそれぞれに対する接続設定、測定データの内容（測定データの種類及び測定方法等）の設定及び測定データの収集等を実行する測定ツールを工作機械２０−１〜２０−ｎに対応して備えている。本実施形態において、測定ツールは、アプリケーションプログラムとしてデータ収集管理装置１０に実装される。また、データ収集管理装置１０は、各工作機械２０−１〜２０−ｎに対応する各測定ツールを統合して管理する統合管理機能を備えている。即ち、データ収集管理装置１０は、統合管理機能によって、複数の測定ツールに対する接続設定、測定データの内容（測定データの種類及び測定方法等）の設定、測定データの収集、各種設定の保存及び測定データの保存等を一元管理する。
【００１９】
工作機械２０は、製造ライン等に設置されるＮＣ（Ｎｕｍｅｒｉｃａｌｌｙ  Ｃｏｎｔｒｏｌ）工作機械や産業用ロボットによって構成される。本実施形態において、各工作機械２０−１〜２０−ｎは、スピンドルモータ及びサーボモータを備えており、サーボモータで駆動される機械可動部（サーボ軸）の位置と、スピンドルモータで駆動される主軸（スピンドル軸）の位置とを測定データの１つとして取得する。
【００２０】
［データ収集管理装置１０の構成］
次に、データ収集管理装置１０の構成について説明する。
図２は、データ収集管理装置１０の構成を示すブロック図である。
図２に示すように、データ収集管理装置１０は、ＣＰＵ（Ｃｅｎｔｒａｌ  Ｐｒｏｃｅｓｓｉｎｇ  Ｕｎｉｔ）１１と、ＲＯＭ１２と、ＲＡＭ１３と、入力部１４と、表示部１５と、記憶部１６と、通信部１７とを備えている。
【００２１】
ＣＰＵ１１は、記憶部１６に記憶された各種プログラムを実行することにより、データ収集管理装置１０全体を制御する。例えば、ＣＰＵ１１は、複数の測定ツールを統合して管理する処理（以下、「統合管理処理」と称する。）のためのプログラムを実行する。
統合管理処理のためのプログラムを実行することにより、ＣＰＵ１１には、機能的構成として、ＵＩ表示制御部１１ａと、設定管理部１１ｂと、測定ツール実行管理部１１ｃとが形成される。
【００２２】
ＵＩ表示制御部１１ａは、統合管理処理におけるメニュー画面、設定画面及びステータス表示画面等の各種表示画面を表示する。また、ＵＩ表示制御部１１ａは、各種表示画面において、ユーザによる操作の入力を受け付ける。
【００２３】
設定管理部１１ｂは、ユーザの入力に応じて、工作機械２０の測定ツールに対する接続設定及び測定データの内容（測定データの種類及び測定方法等）の設定等、個別の測定ツール毎の各種設定を行う。個別の測定ツール毎の各種設定は、測定設定ファイルに記憶される。例えば、個別の測定ツール毎の各種設定として、サーボ軸及びスピンドル軸に関して、ＰＭＣ（Ｐｒｏｇｒａｍｍａｂｌｅ  Ｍａｃｈｉｎｅ  Ｃｏｎｔｒｏｌｌｅｒ）からの位置の制御指令値及びセンサによる検出値、測定データ点数及びサンプリング周期等が設定される。また、ＰＭＣと各種Ｉ／Ｏとを接続するシリアル通信の信号を測定対象とすることも可能である。設定されるサンプリング周期は、位置の制御指令値及びセンサによる検出値、あるいは、シリアル通信の信号それぞれについて個別に設定される。
【００２４】
また、設定管理部１１ｂは、統合管理処理の管理対象とされる工作機械２０の選択や、設定の保存先となるファイルの管理等、統合管理処理のための各種設定を行う。統合管理処理のための各種設定は、管理用ファイルに記憶される。統合管理処理のための各種設定については、具体的な内容を後述する。
【００２５】
測定ツール実行管理部１１ｃは、統合管理処理において管理対象とされている工作機械２０のための測定ツールを起動する。そして、測定ツール実行管理部１１ｃは、測定ツール毎に設定されている測定データの種類等を参照し、測定ツールによって工作機械を制御することにより、測定データの取得及び取得された測定データの保存等を実行する。測定データは、測定ツール毎に設定されている測定データ保存用ファイルに記憶される。
【００２６】
ＲＯＭ１２には、データ収集管理装置１０を制御するための各種システムプログラムが予め書き込まれている。
ＲＡＭ１３は、ＤＲＡＭ（Ｄｙｎａｍｉｃ  Ｒａｎｄｏｍ  Ａｃｃｅｓｓ  Ｍｅｍｏｒｙ）等の半導体メモリによって構成され、ＣＰＵ１１が各種処理を実行する際に生成されるデータを記憶する。
入力部１４は、キーボードやマウス、あるいは、タッチセンサ等の入力装置によって構成され、ユーザによるデータ収集管理装置１０への各種情報の入力を受け付ける。
【００２７】
表示部１５は、ＬＣＤ（Ｌｉｑｕｉｄ  Ｃｒｙｓｔａｌ  Ｄｉｓｐｌａｙ）等の表示装置によって構成され、データ収集管理装置１０の各種処理結果を表示する。
記憶部１６は、ハードディスクあるいはフラッシュメモリ等の不揮発性の記憶装置によって構成され、統合管理処理のためのプログラム等を記憶する。また、記憶部１６は、各工作機械２０についての測定設定ファイル及び測定データ保存用ファイル、統合管理処理のための管理用ファイルをそれぞれ記憶する。
通信部１７は、有線又は無線ＬＡＮやＵＳＢ等、所定の通信規格に基づいて信号処理を行う通信インターフェースを備え、データ収集管理装置１０が工作機械２０との間で行う通信を制御する。
【００２８】
［統合管理処理における各種表示画面例］
次に、統合管理処理において表示される各種表示画面の例について説明する。
【００２９】
［接続管理画面］
図３は、接続管理画面の一例を示す模式図である。
接続管理画面は、統合管理処理の起動直後に表示されるメイン画面であり、統合管理処理の管理対象とされる工作機械２０、測定ツール毎の接続設定あるいはデータの保存先等が一覧表示される。
図３に示すように、接続管理画面には、「ファイル」及び「ヘルプ」からなるメニューボタン、「接続設定リスト」の表示領域、「設定追加」、「設定削除」、「測定開始」及び「測定中止」の各ボタン、エラーログの表示領域がそれぞれ含まれている。
【００３０】
メニューボタンにおいて、「ファイル」メニューが選択されると、管理用ファイルについて、「開く」、「上書き保存」、「名前をつけて保存」の各コマンド及び「アプリケーション（統合管理処理）の終了」コマンドが選択可能に表示される。
また、メニューボタンにおいて、「ヘルプ」メニューが選択されると、統合管理処理のバージョンを表す「バージョン情報」及びヘルプファイルの表示を指示する「ヘルプ」コマンドが選択可能に表示される。
【００３１】
「接続設定リスト」の表示領域には、統合管理処理の管理対象とされる工作機械２０の名称と、各工作機械２０の接続設定とが表示される。また、「接続設定リスト」の表示領域には、各工作機械２０の名称に対応してチェックボックスが表示されており、チェックボックスにチェックを入力すると、接続設定に基づいて、その工作機械２０に対応する測定ツールが起動する。さらに、「接続設定リスト」の表示領域には、各工作機械２０の名称に対応して、測定設定ファイル及び測定データ保存用ファイルの保存先等が表示される。なお、接続設定を選択（ダブルクリック等）することにより、その接続設定に関する接続設定画面に遷移する。
【００３２】
「設定追加」ボタンは、工作機械２０に関する新規の接続設定を追加するためのボタンである。「設定追加」ボタンが操作されると、新規の接続設定を行うための接続設定画面に遷移する。
「設定削除」ボタンは、選択された接続設定を削除するためのボタンである。
【００３３】
「測定開始」ボタンは、「接続設定リスト」として表示されている接続設定のうち、オンライン状態となっている工作機械２０の測定を開始（測定ツールを起動）するためのボタンである。
「測定中止」ボタンは、工作機械２０の測定を中止（測定ツールを停止）するためのボタンである。
エラーログの表示領域は、測定ツールによる工作機械２０の測定においてエラーが発生した場合に、エラーの詳細を表示する領域である。
【００３４】
［接続設定画面］
図４は、接続設定画面の一例を示す模式図である。
接続設定画面は、「設定追加」ボタンの操作又は接続設定の選択によって表示され、工作機械２０に対する接続設定を行うための表示画面である。
図４に示すように、接続設定画面には、「機械名称」、「保存名」、「保存ディレクトリ」、「測定設定ファイル」、「ＩＰアドレス」、「ポート番号」及び「タイムアウト」の各項目が設定可能に表示されている。
【００３５】
「機械名称」の項目は、統合管理処理の管理対象とされる工作機械２０の名称を設定する項目である。
「保存名」は、測定ツールが測定データを保存する場合の保存ファイル名（測定データ保存用ファイル名）を設定する項目である。
「保存ディレクトリ」は、測定ツールが測定データを保存する場合の保存先ディレクトリ名を設定する項目である。
【００３６】
「測定設定ファイル」は、測定ツールの接続設定及び測定データの種類の設定等、個別の測定ツール毎の各種設定を記憶するファイル名（測定設定ファイル名）を設定する項目である。
「ＩＰアドレス」は、統合管理処理の管理対象とされる工作機械２０のＩＰアドレスを設定する項目である。
「ポート番号」は、統合管理処理の管理対象とされる工作機械２０のポート番号を設定する項目である。
【００３７】
「タイムアウト」は、測定ツールが工作機械２０と通信可能となるまでの待ち時間の長さを設定する項目である。
これらの項目が設定された後、「ＯＫ」ボタンが操作されると、入力された設定を測定設定ファイルに反映させて、接続設定画面が閉じられる。一方、これらの項目が設定された後、「キャンセル」ボタンが操作されると、入力された設定を測定設定ファイルに反映させずに、接続設定画面が閉じられる。
【００３８】
［接続ステータス表示画面］
図５Ａ〜図５Ｃは、接続ステータス表示画面の一例を示す模式図である。
接続ステータス表示画面は、接続管理画面において、「接続設定リスト」のチェックボックスにチェックが入力された工作機械２０に対する接続状況を表示する画面である。
図５Ａに示す例では、「接続設定リスト」の第１行に登録されている工作機械２０（Ｍａｃｈｉｎｅ１）に対する接続が成功した状況が示されている。接続が成功した工作機械２０については、接続が成功したことを識別する表示（例えば、青色の背景で表示する等）が行われる。
【００３９】
また、図５Ｂに示す例では、「接続設定リスト」の第１行に登録されている工作機械２０（Ｍａｃｈｉｎｅ１）に対する接続が成功し、「接続設定リスト」の第２行に登録されている工作機械２０（Ｍａｃｈｉｎｅ２）に対する接続が失敗した状況が示されている。接続が失敗した工作機械２０については、接続が失敗したことを識別する表示（例えば、赤色の背景で表示する等）が行われる。
【００４０】
また、図５Ｃに示す例では、「接続設定リスト」の第１行に登録されている工作機械２０（Ｍａｃｈｉｎｅ１）に対する測定が開始された状況が示されている。測定が開始された工作機械２０については、測定が開始されたことを識別する表示（例えば、緑色の背景で表示する等）が行われる。
【００４１】
［動作］
次に、データ収集管理システム１の動作を説明する。
［統合管理処理］
図６は、データ収集管理装置１０が実行する統合管理処理の流れを説明するフローチャートである。
統合管理処理は、入力部１４を介して、統合管理処理を起動させる指示が入力されることにより開始される。
【００４２】
統合管理処理が開始されると、ステップＳ１において、ＵＩ表示制御部１１ａは、接続管理画面を表示する。
ステップＳ２において、ＵＩ表示制御部１１ａは、接続管理画面における操作が行われたか否かの判定を行う。
接続管理画面における操作が行われていない場合、ステップＳ２においてＮＯと判定されて、ステップＳ２の処理が繰り返される。
一方、接続管理画面における操作が行われた場合、ステップＳ２においてＹＥＳと判定されて、処理はステップＳ３に移行する。
【００４３】
ステップＳ３において、ＵＩ表示制御部１１ａは、接続管理画面に対する操作がメニューボタンの操作であるか否かの判定を行う。
接続管理画面に対する操作がメニューボタンの操作である場合、ステップＳ３においてＹＥＳと判定されて、処理はステップＳ４に移行する。
一方、接続管理画面に対する操作がメニューボタンの操作でない場合、ステップＳ３においてＮＯと判定されて、処理はステップＳ５に移行する。
【００４４】
ステップＳ４において、ＵＩ表示制御部１１ａは、メニューボタンにおける操作内容に対応する各種コマンドを実行する。
ステップＳ５において、ＵＩ表示制御部１１ａは、接続管理画面に対する操作が接続設定画面への遷移を指示する操作であるか否かの判定を行う。
接続管理画面に対する操作が接続設定画面への遷移を指示する操作である場合、ステップＳ５においてＹＥＳと判定されて、処理はステップＳ６に移行する。
一方、接続管理画面に対する操作が接続設定画面への遷移を指示する操作でない場合、ステップＳ５においてＮＯと判定されて、処理はステップＳ７に移行する。
【００４５】
ステップＳ６において、ＵＩ表示制御部１１ａは、接続設定画面における各種項目の入力を受け付ける。ステップＳ６において、「ＯＫ」ボタンが操作された場合、入力された設定を測定設定ファイルに反映させて、処理はステップＳ７に移行する。一方、ステップＳ６において、「キャンセル」ボタンが操作された場合、入力された設定を測定設定ファイルに反映させずに、処理はステップＳ７に移行する。
【００４６】
ステップＳ７において、ＵＩ表示制御部１１ａは、接続管理画面に対する操作がチェックボックスに対するチェックの入力であるか否かの判定を行う。
接続管理画面に対する操作がチェックボックスに対するチェックの入力である場合、ステップＳ７においてＹＥＳと判定されて、処理はステップＳ８に移行する。
一方、接続管理画面に対する操作がチェックボックスに対するチェックの入力でない場合、ステップＳ７においてＮＯと判定されて、処理はステップＳ１０に移行する。
【００４７】
ステップＳ８において、測定ツール実行管理部１１ｃは、チェックが入力された工作機械２０の接続設定に基づいて、その工作機械２０に対応する測定ツールを起動する。
ステップＳ９において、ＵＩ表示制御部１１ａは、測定ツールの接続状況に応じて、接続ステータス画面を表示する。
ステップＳ１０において、ＵＩ表示制御部１１ａは、接続管理画面に対する操作が「測定開始」ボタンの操作であるか否かの判定を行う。
接続管理画面に対する操作が「測定開始」ボタンの操作である場合、ステップＳ１０においてＹＥＳと判定されて、処理はステップＳ１１に移行する。
一方、接続管理画面に対する操作が「測定開始」ボタンの操作でない場合、ステップＳ１０においてＮＯと判定されて、処理はステップＳ１５に移行する。
【００４８】
ステップＳ１１において、測定ツール実行管理部１１ｃは、接続が成功している工作機械２０の測定設定ファイルを読み出す。
ステップＳ１２において、測定ツール実行管理部１１ｃは、測定ツールによって、工作機械２０に対する測定設定ファイルに基づく設定及び測定の開始のためのコマンドを送信する。
ステップＳ１３において、測定ツール実行管理部１１ｃは、測定ツールによって、工作機械２０から測定に関するステータス（測定中、エラーの発生の有無等）を取得する。
ステップＳ１４において、測定ツール実行管理部１１ｃは、測定ツールによって工作機械２０から取得した測定データを測定データ保存用ファイルに記憶する。
【００４９】
ステップＳ１５において、ＵＩ表示制御部１１ａは、接続管理画面に対する操作が「設定削除」ボタンの操作であるか否かの判定を行う。
接続管理画面に対する操作が「設定削除」ボタンの操作である場合、ステップＳ１５においてＹＥＳと判定されて、処理はステップＳ１６に移行する。
一方、接続管理画面に対する操作が「設定削除」ボタンの操作でない場合、ステップＳ１５においてＮＯと判定されて、統合管理処理が繰り返される。
ステップＳ１６において、設定管理部１１ｂは、選択された接続設定を削除する。
ステップＳ１７において、設定管理部１１ｂは、接続設定の削除を管理用ファイルに反映させて記憶する。
ステップＳ１７の後、統合管理処理が繰り返される。
【００５０】
以上のように、本実施形態に係るデータ収集管理システム１においては、データ収集管理装置１０が、複数の工作機械２０それぞれに対応する測定ツールに対して、記憶されている接続設定及び測定データの種類の設定を行い、測定ツールによって工作機械２０それぞれの測定を実行する。
そのため、データ収集管理システム１では、ユーザは、データ収集管理装置１０によって複数の工作機械２０を統合して管理することができる。
したがって、データ収集管理システム１によれば、複数の工作機械２０を管理する作業負担をより適切に軽減することができる。
【００５１】
また、本実施形態に係るデータ収集管理システム１においては、データ収集管理装置１０の測定ツール実行管理部１１ｃは、工作機械２０における測定データを取得する。
したがって、データ収集管理装置１０において、工作機械２０それぞれの測定データを管理することができる。
【００５２】
また、本実施形態に係るデータ収集管理システム１においては、データ収集管理装置１０が、工作機械２０それぞれに対応する測定ツールを備える。
したがって、データ収集管理装置１０において、工作機械２０の測定ツールを起動して、工作機械２０におけるデータの測定を直接制御することができる。
【００５３】
また、本実施形態に係るデータ収集管理システム１においては、データ収集管理装置１０が、測定ツールへの接続設定及び測定データの種類の設定と、測定ツールによる工作機械２０それぞれの測定の実行とを制御するためのインターフェース画面（接続管理画面等）を表示するＵＩ表示制御部１１ａを備える。
ＵＩ表示制御部１１ａは、インターフェース画面において、測定の対象となる工作機械２０を一覧表示し、一覧表示された工作機械２０の項目が選択されることに対応して、工作機械２０に対応する測定ツールへの設定、工作機械２０との通信による接続、又は、工作機械２０の測定に関する処理が実行される。
これにより、ユーザは、簡単な操作によって、工作機械２０に対応する測定ツールへの設定、工作機械との通信による接続、又は、工作機械の測定に関する処理を行うことができる。
【００５４】
また、本実施形態に係るデータ収集管理システム１においては、ＵＩ表示制御部１１ａは、インターフェース画面において、測定の対象となる工作機械２０の追加及び削除を受け付ける。
これにより、測定の対象となる工作機械２０が増減する場合にも、簡単な操作によって、統合管理する対象の工作機械２０を設定することができる。
【００５５】
［変形例１］
上述の実施形態において、データ収集管理装置１０が、測定ツールと測定ツール実行管理部１１ｃとを備えるものとして説明した。
これに対し、データ収集管理装置１０が測定ツール実行管理部１１ｃを備え、データ収集管理装置１０とは異なる情報処理装置が測定ツールを備えることも可能である。
図７は、測定ツールと測定ツール実行管理部１１ｃとを異なる情報処理装置に備えるデータ収集管理システム１のシステム構成を示す模式図である。
【００５６】
図７に示すように、所定の複数の工作機械２０（例えば、破線内の工作機械２０）毎に、これらの工作機械２０に対応する複数の測定ツールを備えた情報処理装置１０−１〜１０−ｍ（ｍは２以上の整数）を設置し、データ収集管理装置１０が、複数の情報処理装置１０−１〜１０−ｍに備えられた測定ツールを、ネットワーク３０を介して統合管理することができる。
このような構成とした場合、データ収集管理システム１における処理負荷を分散することができる。
【００５７】
［変形例２］
上述の実施形態において、データ収集管理装置１０が、測定データを記憶するための測定データ保存用ファイルを記憶するものとして説明した。
これに対し、測定データ保存用ファイルをネットワーク３０上の記憶装置に記憶することも可能である。
図８は、測定データ保存用ファイルをネットワーク３０上の記憶装置に記憶するデータ収集管理システム１のシステム構成を示す模式図である。
【００５８】
図８に示すように、データ収集管理システム１が、データ収集管理装置１０とネットワーク３０を介して通信可能なデータベースサーバ４０を備え、データ収集管理装置１０が測定ツールを介して取得した測定データをデータベースサーバ４０に格納されている測定データ保存用ファイルに記憶することができる。
このような構成とした場合、データ収集管理装置１０の処理負荷を分散することができると共に、測定データを各装置から容易に利用することが可能となる。
【００５９】
［変形例３］
上述の実施形態において、新たな工作機械を統合管理の対象とする場合、データ収集管理装置１０が、その工作機械のために既に設定されている測定ツールを取得し、測定ツールから設定を抽出して、統合管理処理のための測定設定ファイル及び管理用ファイルに自動的に追加することとしてもよい。
この場合、データ収集管理システム１の統合管理の対象として、容易に工作機械２０を追加することができる。
【００６０】
なお、上述の実施形態において、測定ツールの測定対象として、サーボモータで駆動される機械可動部（サーボ軸）の位置と、スピンドルモータで駆動される主軸（スピンドル軸）の位置とを例として説明したが、これに限られない。即ち、測定ツールの測定対象は、工作機械における各種パラメータとすることができる。
また、データ収集管理装置１０における各種機能は、データ収集管理システム１における複数の情報処理装置に分散して実装することが可能であり、データ収集管理システム１全体として統合管理機能が実現されればよい。
また、本実施形態におけるデータ収集管理システム１に工作機械２０を含むことなく、データ収集管理システム１以外に備えられている工作機械２０を対象として、データ収集管理装置１０あるいは情報処理装置１０−１〜１０−ｍが統合管理を行うこととしてもよい。
【００６１】
以上説明した実施形態のデータ収集管理システム１の機能の全部又は一部は、ハードウェア、ソフトウェア又はこれらの組合せにより実現することができる。ここで、ソフトウェアによって実現されるとは、プロセッサがプログラムを読み込んで実行することにより実現されることを意味する。ハードウェアで構成する場合、データ収集管理システム１の機能の一部又は全部を、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ゲートアレイ、ＦＰＧＡ（Ｆｉｅｌｄ  Ｐｒｏｇｒａｍｍａｂｌｅ  Ｇａｔｅ  Ａｒｒａｙ）、ＣＰＬＤ（Ｃｏｍｐｌｅｘ  Ｐｒｏｇｒａｍｍａｂｌｅ  Ｌｏｇｉｃ  Ｄｅｖｉｃｅ）等の集積回路（ＩＣ）で構成することができる。
【００６２】
データ収集管理システム１の機能の全部又は一部をソフトウェアで構成する場合、データ設定システム１の動作の全部又は一部を記述したプログラムを記憶した、ハードディスク、ＲＯＭ等の記憶部、演算に必要なデータを記憶するＤＲＡＭ、ＣＰＵ、及び各部を接続するバスで構成されたコンピュータにおいて、演算に必要な情報をＤＲＡＭに記憶し、ＣＰＵで当該プログラムを動作させることで実現することができる。
【００６３】
これらのプログラムは、様々なタイプのコンピュータ可読媒体（ｃｏｍｐｕｔｅｒ  ｒｅａｄａｂｌｅ  ｍｅｄｉｕｍ）を用いて格納され、コンピュータに供給することができる。コンピュータ可読媒体は、様々なタイプの実体のある記録媒体（ｔａｎｇｉｂｌｅ  ｓｔｏｒａｇｅ  ｍｅｄｉｕｍ）を含む。コンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Ｒｅａｄ  Ｏｎｌｙ  Ｍｅｍｏｒｙ）、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュメモリ、ＲＡＭ（Ｒａｎｄｏｍ  Ａｃｃｅｓｓ  Ｍｅｍｏｒｙ））を含む。
また、これらのプログラムは、ネットワークを介してユーザのコンピュータにダウンロードされることにより配布されてもよい。
【００６４】
以上、本発明の実施形態について詳細に説明したが、前述した実施形態は、本発明を実施するにあたっての具体例を示したに過ぎない。本発明の技術的範囲は、前記実施形態に限定されるものではない。本発明は、その趣旨を逸脱しない範囲において種々の変更が可能であり、それらも本発明の技術的範囲に含まれる。
【符号の説明】
【００６５】
１  データ収集管理システム１
１０  データ収集管理装置
１１  ＣＰＵ
１１ａ  ＵＩ表示制御部
１１ｂ  設定管理部
１１ｃ  測定ツール実行管理部
１２  ＲＯＭ
１３  ＲＡＭ
１４  入力部
１５  表示部
１６  記憶部
１７  通信部
１０−１〜１０−ｎ  情報処理装置
２０，２０−１〜２０−ｎ  工作機械
３０  ネットワーク
４０  データベースサーバ
【図１】
2018173858.tif 000003
【図２】
2018173858.tif 000004
【図３】
2018173858.tif 000005
【図４】
2018173858.tif 000006
【図５Ａ】
2018173858.tif 000007
【図５Ｂ】
2018173858.tif 000008
【図５Ｃ】
2018173858.tif 000009
【図６】
2018173858.tif 000010
【図７】
2018173858.tif 000011
【図８】
2018173858.tif 000012